(57)【特許請求の範囲】
【請求項１】
情報信号を識別するための識別情報と、複製回数を制限するための複製許可回数とが付加された情報信号の供給を受けて、前記情報信号を記録媒体に複製する情報信号記録装置において用いられる情報信号複製管理方法であって、
供給された前記情報信号から前記識別情報を検出する識別情報検出工程と、
供給された前記情報信号から前記複製許可回数を検出する複製許可回数検出工程と、
前記識別情報検出工程において検出した前記識別情報と、前記複製許可回数検出工程において検出した前記複製許可回数とを管理するための複製回数管理情報とからなる複製履歴情報を所定のメモリに記録する記録工程と、
前記情報信号の複製を行う際に、前記メモリに記憶されている複製しようとする前記情報信号についての前記複製履歴情報に基づいて、複製についての制御を行う複製制御工程と、
前記メモリに記録された前記情報信号についての前記複製履歴情報の前記複製回数管理情報を、必要に応じて更新する更新工程と、
複製を行う記録装置を特定するための装置識別情報を、複製する情報信号に付加する装置識別情報付加工程と、
記録媒体に複製された既複製情報信号に付加されている前記装置識別情報を検出する装置識別情報検出工程と、
記録媒体に記録された既複製情報信号を消去する情報信号消去工程と
を有し、
前記更新工程においては、
情報信号の複製を実行する場合には、前記情報信号についての前記複製回数管理情報により管理される前記複製許可回数を減らすようにし、前記情報信号消去工程において、前記既複製情報信号を消去する場合であって、前記装置識別情報検出工程において検出した前記装置識別情報と、当該情報信号記録装置の機器識別情報とが一致する場合には、前記既複製情報信号についての前記複製回数管理情報により管理される前記複製許可回数を復帰させるようにすることを特徴とする情報信号複製管理方法。
【請求項２】
複製回数が制限された情報信号を出力する情報信号出力装置と、前記情報信号出力装置から出力される前記情報信号の供給を受けて、前記情報信号を記録媒体に記録する情報信号記録装置とからなる情報信号複製管理システムであって、
前記情報信号出力装置は、
出力する前記情報信号に識別情報を付加する識別情報付加手段と、
出力する前記情報信号に複製回数を制限するための複製許可回数を付加する複製回数付加手段と、
前記識別情報と前記複製許可回数とが付加された前記情報信号を出力する情報信号出力手段と
を備え、
前記情報信号記録装置は、
供給された前記情報信号から前記識別情報を検出する識別情報検出手段と、
供給された前記情報信号から前記複製許可回数を検出する複製許可回数検出手段と、
前記識別情報検出手段からの前記識別情報と、前記複製許可回数検出手段からの前記複製許可回数を管理するための複製回数管理情報とからなる複製履歴情報を記憶するメモリと、
前記情報信号についての前記複製履歴情報の前記複製回数管理情報を、必要に応じて更新する更新手段と、
前記情報信号の複製を行う際に、前記メモリに記憶されている複製しようとする前記情報信号についての前記複製履歴情報に基づいて、複製についての制御を行う複製制御手段と、
複製を行う記録装置を特定するための装置識別情報を、複製する情報信号に付加する装置識別情報付加手段と、
記録媒体に複製された既複製情報信号に付加されている前記装置識別情報を検出する装置識別情報検出手段と、
記録媒体に記録された既複製情報信号を消去する情報信号消去手段と
を備え、
前記情報信号記録装置の前記更新手段は、
情報信号の複製を実行する場合には、前記情報信号についての前記複製回数管理情報により管理される前記複製許可回数を減らすようにし、前記情報信号消去手段により、前記既複製情報信号を消去する場合であって、前記装置識別情報検出手段により検出された前記装置識別情報と、当該情報信号記録装置の機器識別情報とが一致する場合には、前記既複製情報信号についての前記複製回数管理情報により管理される前記複製許可回数を復帰させるようにすることを特徴とする情報信号複製管理システム。
【請求項３】
情報信号を識別するための識別情報と、複製回数を制限するための複製許可回数とが付加された情報信号の供給を受けて、前記情報信号を記録媒体に複製する情報信号記録装置であって、
供給された前記情報信号から前記識別情報を検出する識別情報検出手段と、
供給された前記情報信号から前記複製許可回数を検出する複製許可回数検出手段と、
前記識別情報検出手段からの前記識別情報と、前記複製許可回数検出手段からの前記複製許可回数を管理するための複製回数管理情報とからなる複製履歴情報を記憶するメモリと、
前記情報信号についての前記複製履歴情報の前記複製回数管理情報を、必要に応じて更新する更新手段と、
前記情報信号の複製を行う際に、前記メモリに記憶されている複製しようとする前記情報信号についての前記複製履歴情報に基づいて、複製についての制御を行う複製制御手段と、
複製を行う記録装置を特定するための装置識別情報を、複製する情報信号に付加する装置識別情報付加手段と、
記録媒体に複製された既複製情報信号に付加されている前記装置識別情報を検出する装置識別情報検出手段と、
記録媒体に記録された既複製情報信号を消去する情報信号消去手段と
を備え、
前記更新手段は、
情報信号の複製を実行する場合には、前記情報信号についての前記複製回数管理情報により管理される前記複製許可回数を減らすようにし、前記情報信号消去手段により、前記既複製情報信号を消去する場合であって、前記装置識別情報検出手段により検出された前記装置識別情報と、当該情報信号記録装置の機器識別情報とが一致する場合には、前記既複製情報信号についての前記複製回数管理情報により管理される前記複製許可回数を復帰させるようにすることを特徴とする情報信号記録装置。
【請求項４】
前記記録媒体に記録する前記情報信号に、次世代の複製を禁止するための情報を付加する次世代複製禁止情報付加手段と、
前記情報信号から次世代の複製を禁止するための情報を検出する次世代複製禁止情報検出手段と
を備え、
前記複製制御手段は、前記次世代複製禁止手段により前記次世代の複製を禁止するための情報が検出されたときには、前記情報信号の複製を禁止するようにすることを特徴とする請求項３に記載の情報信号記録装置。
【請求項５】
前記更新手段は、
前記複製許可回数検出手段により、供給された前記情報信号から前記複製許可回数が検出されなかったときには、当該情報信号は、１回だけ複製が可能なものとして当該情報信号の複製許可回数を更新することを特徴とする請求項３に記載の情報信号記録装置。
【請求項６】
前記識別情報と、前記複製許可回数とは、電子透かし情報として前記情報信号に重畳されており、
前記識別情報検出手段は、供給された情報信号に電子透かし情報として重畳されている前記識別情報を検出するものであり、
前記複製許可回数検出手段は、供給された情報信号に電子透かし情報として重畳されている前記複製許可回数を検出するものであることを特徴とする請求項３に記載の情報信号記録装置。
【請求項７】
前記次世代の複製を禁止するための情報は、電子透かし情報として前記情報信号に重畳されており、
前記次世代複製禁止情報検出手段は、入力された情報信号に電子透かし情報として重畳されている前記次世代の複製を禁止するための情報を検出するものであることを特徴とする請求項４に記載の情報信号記録装置。
【発明の詳細な説明】
【０００１】
【発明の属する技術分野】
この発明は、例えば、音声信号や映像信号などの各種の情報信号の複製を管理するようにする情報信号複製管理方法、この方法が用いられた情報信号複製管理システム、このシステムに用いられる情報信号記録装置に関する。
【０００２】
【従来の技術】
近年、インターネット、コンパクトディスク（ＣＤ）、デジタルビデオディスク（ＤＶＤ）などのデジタルコンテンツの普及に伴い、このデジタルコンテンツについての違法な複製（コピー）による著作権侵害が問題となっている。そこで、この問題に対処するため、デジタルコンテンツに複製制御のための情報を付加し、この付加情報を用いて、違法な複製を防止することが考えられている。
【０００３】
この複製の防止のための制御としては、情報ソースに応じて、全く複製を認めない場合と、１回は複製を認めるが、１回複製されたものからの複製を禁止する場合（世代制限の複製制御方式）とが考えられている。前者は、例えばＤＶＤ−ＲＯＭのように、コンテンツメーカが作成して販売するオリジナルソフトの場合である。後者の世代制限の複製制御方式は、例えば放送メディアにおいて、放送される情報の場合などに適用される。
【０００４】
後者の世代制限の複製制御方式の場合には、有効に複製世代の制御ができる方式が望まれている。この複製世代の管理が行える複製制御情報の方式としては、音声信号についてのＳＣＭＳ（Ｓｅｒｉａｌ  Ｃｏｐｙ  ＭａｎａｇｅｍｅｎｔＳｙｓｔｅｍ）方式や、映像信号についてのＣＧＭＳ（Ｃｏｐｙ  Ｇｅｎｅｒａｔｉｏｎ  Ｍａｎａｇｅｍｅｎｔ  Ｓｙｓｔｅｍ）方式などが提案されている。
【０００５】
ＳＣＭＳ方式は、デジタル音声信号とともに伝送するようにされるコピー禁止／許可フラグや、例えば、ＣＤ（コンパクトディスク）、ＤＡＴ（デジタルオーディオテープ）などのデジタル音声システムの種類を表すカテゴリーコードを用いて、１回だけのデジタルコピーができるようにするシリアルコピーの制御を行う方式である。
【０００６】
すなわち、このＳＣＭＳ方式の場合には、デジタル音声信号とともに伝送するようにされるコピー禁止／許可フラグおよびカテゴリコードからなるＳＣＭＳ情報により、１世代目のデジタル音声信号については、コピーできるが、コピーされたデジタル音声信号をさらにコピーすることはできないというように、デジタル音声信号の複製の世代制限制御を行うことができるようにされている。
【０００７】
また、ＣＧＭＳ方式は、例えばアナログ画像信号であれば、その垂直ブランキング期間内の特定の１水平区間に複製制御用の２ビットの付加情報を重畳し、また、デジタル画像信号であれば、デジタル画像データに、複製制御用の２ビットの付加情報を付加して伝送する方式である。
【０００８】
このＣＧＭＳ方式の場合の２ビットの情報（以下、ＣＧＭＳ情報という）の意味内容は、
［００］……複製可能
［１０］……１回複製可能（１世代だけ複製可能）
［１１］……複製禁止（絶対複製禁止）
である。
【０００９】
画像情報に付加されたＣＧＭＳ情報が［１０］であった場合に、ＣＧＭＳ対応の記録装置では、その画像情報の複製記録が可能であると判断して記録を実行するが、記録された画像信号には［１１］に書き換えられたＣＧＭＳ情報が付加される。そして、記録しようとする画像情報に付加されたＣＧＭＳ情報が［１１］の場合には、ＣＧＭＳ対応の記録装置では、その画像信号の複製記録は禁止であるとして記録の実行が禁止される。
【００１０】
このように、ＳＣＭＳ方式やＣＧＭＳ方式により音声信号や映像信号（画像情報）について、コピー（複製）の世代制限制御ができるようにされている。
【００１１】
【発明が解決しようとする課題】
ところで、前述したＳＣＭＳ方式やＣＧＭＳ方式を用いた場合、音声信号や映像信号などの情報信号の複製の世代管理を行うことにより、コピーされた情報信号をさらに別の記録媒体にコピーするなどということは防止される。しかしながら、例えば、ＣＤに記録されてコンテンツメーカーから提供される１世代目の情報信号は、そのＣＤからであれば同じ記録装置を用いても無制限にコピーすることができてしまうという問題がある。
【００１２】
このため、情報信号の大量複製の危険性を伴う、前述のような複製の世代制限を行う方法を用いるのではなく、例えば、ＣＤなどのメディアにおいて、初めから情報信号のコピーを禁止したコピー禁止ディスクにより情報信号を提供するようにすることが考えられる。
【００１３】
しかし、コピー禁止ディスクにより情報信号を提供するようにした場合、情報信号の著作権者の権利を確実に保護することはできるが、情報信号の利用者は、そのコピー禁止ディスクからでないと目的とする情報信号を利用することができなくなるため、利用者が受ける制限が大きくなり好ましくないと考えられる。
【００１４】
例えば、コピー禁止ディスクの場合、私的複製の範囲内で行われているＣＤから好みの曲だけを選択し、これをＭＤ（ミニディスク）と呼ばれる小型の光磁気ディスクやカセットテープなどにコピーし、カーステレオで聞いたり、携帯用の再生機を用いて、通勤通学の電車の中で聞くなどというような音楽の楽しみ方が制約を受けることになる。
【００１５】
以上のことにかんがみ、この発明は、情報信号の著作権者の権利を適正に保護することができるとともに、情報信号の利用者の利便性を損なわないようにすることができる情報信号複製管理方法、情報信号複製管理システムおよび情報信号記録装置を提供することを目的とする。
【００１６】
【課題を解決するための手段】
上記課題を解決するため、請求項１に記載の発明の情報信号複製管理方法は、
情報信号を識別するための識別情報と、複製回数を制限するための複製許可回数とが付加された情報信号の供給を受けて、前記情報信号を記録媒体に複製する情報信号記録装置において用いられる情報信号複製管理方法であって、
供給された前記情報信号から前記識別情報を検出する識別情報検出工程と、
供給された前記情報信号から前記複製許可回数を検出する複製許可回数検出工程と、
前記識別情報検出工程において検出した前記識別情報と、前記複製許可回数検出工程において検出した前記複製許可回数とを管理するための複製回数管理情報とからなる複製履歴情報を所定のメモリに記録する記録工程と、
前記メモリに記録された前記情報信号についての前記複製履歴情報の前記複製回数管理情報を、必要に応じて更新する更新工程と、
前記情報信号の複製を行う際に、前記メモリに記憶されている複製しようとする前記情報信号についての前記複製履歴情報に基づいて、複製についての制御を行う複製制御工程と、
複製を行う記録装置を特定するための装置識別情報を、複製する情報信号に付加する装置識別情報付加工程と、
記録媒体に複製された既複製情報信号に付加されている前記装置識別情報を検出する装置識別情報検出工程と、
記録媒体に記録された既複製情報信号を消去する情報信号消去工程と
を有し、
前記更新工程においては、
情報信号の複製を実行する場合には、前記情報信号についての前記複製回数管理情報により管理される前記複製許可回数を減らすようにし、前記情報信号消去工程において、前記既複製情報信号を消去する場合であって、前記装置識別情報検出工程において検出した前記装置識別情報と、当該情報信号記録装置の機器識別情報とが一致する場合には、前記既複製情報信号についての前記複製回数管理情報により管理される前記複製許可回数を復帰させるようにすることを特徴とする。
【００４４】
【発明の実施の形態】
以下、この発明による情報信号複製管理方法、情報信号複製管理システムおよび情報信号記録装置の一実施の形態について、図を参照しながら説明する。
【００４５】
以下に説明する実施の形態においては、コンパクトディスク（以下、ＣＤと略称する。）にコンテンツ情報として、楽曲などの音声信号を記録して利用者に提供し、このＣＤに記録された音声信号をＣＤプレーヤにより再生して出力し、記録装置により、ミニディスク（以下、ＭＤと略称する。）にコピー（複製）する場合を例にして説明する。
【００４６】
［オーサリング装置について］
図１は、コンテンツ情報である楽曲（音声信号）を記録したマスターＣＤを作成する音声信号の記録装置であり、コンテンツメーカー側において用いられるいわゆるオーサリング装置と呼ばれるものである。
【００４７】
図１に示すように、この実施の形態のオーサリング装置は、入力端子１、電子透かし情報重畳部（以下、ＷＭ重畳部という。）２、電子透かし情報形成部（以下、ＷＭ形成部という。）６、コンテンツＩＤ発生部３、コピー世代管理情報発生部４、コピー回数管理情報発生部５、データ圧縮処理部７、付加情報付加部８、記録処理部９、コントロール部１０、キー操作部１１を備えている。ＣＤ１００は、この例のオーサリング装置により楽曲が記録されるＣＤである。
【００４８】
この実施の形態のオーサリング装置は、コンテンツ情報としての楽曲に、付加情報として、コンテンツＩＤと、コピー世代管理情報と、コピー回数管理情報との３つの情報を付加して、ＣＤ１００に記録する。このため、図１に示したコンテンツＩＤ発生部３、コピー世代管理情報発生部４、コピー回数管理情報発生部５において、対応する付加情報を発生させるようにしている。
【００４９】
この実施の形態において、コンテンツＩＤ発生部３は、コンテンツ情報としてＣＤ１００に記録する楽曲を識別するための識別情報としてのコンテンツＩＤを発生させる。この実施の形態において、コンテンツＩＤは、ＩＳＲＣ（Ｉｎｔｅｒｎａｔｉｏｎａｌ  Ｓｔａｎｄａｒｄ  Ｒｅｃｏｒｄｉｎｇ  Ｃｏｄｅ）である。
【００５０】
また、コピー世代管理情報発生部４は、各楽曲のコピーの世代管理するための情報であり、この実施の形態においては、コピー許可／禁止フラグなどからなるＳＣＭＳ情報である。
【００５１】
また、コピー回数管理情報発生部５は、各楽曲のコピー回数を制限するための情報であり、この実施の形態においては、例えば、著作権者により決められたコピー許可回数である。
【００５２】
そして、この実施の形態のオーサリング装置の使用者は、ＣＤ１００に楽曲の記録を開始する前に、ＣＤ１００に記録する楽曲に付加するコンテンツＩＤ、ＳＣＭＳ情報、コピー許可回数を、キー操作部１１を通じてオーサリング装置に入力する。コントロール部１０は、使用者からの指示入力に基づいて、コンテンツＩＤ発生部３、コピー世代管理情報発生部４、コピー回数管理情報発生部５に対し、どのような情報を発生させるかを指示する制御信号を形成して供給する。
【００５３】
これにより、コンテンツＩＤ発生部３、コピー世代管理情報発生部４、コピー回数管理情報発生部５の各部は、コントロール部１０からの制御信号に基づいて、この実施の形態のオーサリング装置の使用者からの指示入力に応じた、コンテンツＩＤ、ＳＣＭＳ情報、コピー許可回数を形成し、これらをＷＭ形成部６、付加情報付加部８に供給する。
【００５４】
ＷＭ形成部６は、供給されたコンテンツＩＤ、ＳＣＭＳ情報、コピー許可回数のそれぞれを電子透かし処理して、それぞれの電子透かし情報を形成する。電子透かし処理は、前述もしたように、画像データや音楽データに存在する人間の知覚上の重要でない部分、すなわち、音楽や映像に対して冗長でない部分に、雑音として情報を埋め込む処理である。
【００５５】
このオーサリング装置のＷＭ形成部６は、供給されたコンテンツＩＤ、ＳＣＭＳ情報、コピー許可回数のそれぞれをスペクトラム拡散処理することにより、コンテンツＩＤ、ＳＣＭＳ情報、コピー許可回数のそれぞれに応じた電子透かし情報を形成する。これらの電子透かし情報は、ＷＭ重畳部２に供給される。
【００５６】
そして、ＣＤ１００に記録しようとする楽曲（デジタル音声信号）は、入力端子１を通じて、ＷＭ重畳部２に供給される。ＷＭ重畳部２は、前述したように、ＷＭ形成部６において形成された、コンテンツＩＤ、ＳＣＭＳ情報、コピー許可回数のそれぞれに応じた電子透かし情報を、入力端子１を通じて供給されたデジタル音声信号に重畳する。
【００５７】
この場合、電子透かし情報のそれぞれを、デジタル音声信号の同じ時間領域に重畳することもできるが、この実施の形態においては、電子透かし情報のそれぞれを、デジタル音声信号の異なる時間領域に重畳するようにしている。そして、ＷＭ重畳部２において、電子透かし情報とされたコンテンツＩＤ、ＳＣＭＳ情報、コピー許可回数が重畳されたデジタル音声信号は、データ圧縮処理部８に供給される。
【００５８】
データ圧縮処理部７は、これに供給されたデジタル音声信号を所定の方式でデータ圧縮し、これを付加情報付加部８に供給する。付加情報付加部８は、前述したように、コンテンツＩＤ発生部３、コピー世代管理情報発生部４、コピー回数管理情報発生部５からのコンテンツＩＤ、ＳＣＭＳ情報、コピー許可回数を、ＣＤ１００に記録する楽曲のデジタル音声信号に付加する。
【００５９】
この場合、各付加情報は、記録する楽曲に対応するように、ＣＤ１００のＴＯＣ（テーブルオブコンテンツ）やディレクトリに記録したり、あるいは、各楽曲に対応させて、各楽曲とは別領域に付加するようにする。すなわち、読み出し時において、目的とする楽曲毎に、これに対応する各付加情報の読み出しが可能なように付加する。
【００６０】
そして、付加情報付加部８からのコンテンツＩＤ、ＳＣＭＳ情報、コピー許可回数が付加されたデジタル音声信号は、記録処理部９を通じて、ＣＤ１００に記録される。
【００６１】
これにより、コンテンツＩＤ、ＳＣＭＳ情報、コピー許可回数のそれぞれが、電子透かし情報として重畳されるとともに、デジタル付加情報として付加された楽曲が記録されたＣＤ１００が作成される。そして、この実施の形態においては、このＣＤ１００（マスターＣＤ）から、同じ情報が記録されたＣＤが多数作成され、多数のエンドユーザに提供することができるようにされる。
【００６２】
［再生装置について］
図２は、この実施の形態の音声信号の再生装置を説明するための図である。この実施の形態において、図２に示す音声信号の再生装置は、ＣＤプレーヤである。この実施の形態のＣＤプレーヤは、図１に示したオーサリング装置により作成されたＣＤ１００に基づいて作成されたＣＤ１００Ｓを再生することができるものである。
【００６３】
図２に示すように、この実施の形態のＣＤプレーヤは、読み出し部２１、データデコード部２２、Ｄ／Ａコンバータ２３、アナログ音声信号の出力端子２３ａ、デジタルインターフェース２４、デジタル音声信号の出力端子２４１ｄ、デジタル付加情報の出力端子２４２ｄを備えている。
【００６４】
読み出し部２１は、ＣＤ１００Ｓにデジタル音声信号として記録されている楽曲およびこれに付加するようにされている付加情報を読み出す。読み出された楽曲は、データデコード部２２およびデジタルインターフェース２４に供給される。また、ＣＤ１００Ｓから読み出された付加情報は、デジタルインターフェース２４に供給される。
【００６５】
データデコード部２２は、所定の方式でデータ圧縮されているデジタル音声信号とされた楽曲のデコード処理を行い、伸長したデジタル音声信号の楽曲をＤ／Ａコンバータ２３に供給する。Ｄ／Ａコンバータ２３は、伸長されて供給されたデジタル音声信号の楽曲をアナログ音声信号の楽曲に変換し、このアナログ音声信号とされた楽曲を出力端子２３ａを通じて出力する。
【００６６】
この場合、前述したオーサリング装置の付加情報付加部８において、デジタル音声信号とは別の領域に付加されるようにされたデジタルデータのコンテンツＩＤ、ＳＣＭＳ情報、複製許可回数は、デジタル音声信号の楽曲がアナログ音声信号に変換されることにより、消滅してしまう。
【００６７】
しかし、デジタル音声信号の時間領域と同じ時間領域に重畳された電子透かし情報のコンテンツＩＤ、ＳＣＭＳ情報、複製許可回数は、アナログ音声信号に変換されても消滅することがなく、アナログ音声信号ともに出力されて、スピーカやイヤホン、ヘッドホン、あるいは、音声信号の記録装置などに供給される。
【００６８】
一方、デジタルインターフェース２４には、前述したようにデジタル音声信号と、デジタル信号とされた付加情報が供給され、デジタル音声信号は、出力端子２４１ｄを通じて出力され、付加情報は、出力端子２４２ｄを通じて出力される。出力されたデジタル音声信号の楽曲と付加情報は、例えば、デジタルインターフェースを備えた音声信号の記録装置などに供給するようにされる。
【００６９】
［記録装置について］
図３は、図２に示したＣＤプレーヤにより再生されて出力された楽曲（音声信号）の供給を受けて、これを記録媒体に記録する音声信号の記録装置を説明するための図である。この実施の形態において、図３に示す音声信号の記録装置は、ＭＤ（ミニディスク）の記録再生装置（以下、単にＭＤ装置という。）である。しかし、以下においては説明を簡単にするため、音声の再生系についての説明は省略する。
【００７０】
図３に示すように、この実施の形態のＭＤ装置は、アナログ音声信号の入力端子３１、アナログインターフェース３２、圧縮エンコード部３３、セレクタ３４、デジタル音声信号の入力端子３５、デジタル付加情報の入力端子３６、デジタルインターフェース３７、付加情報検出部３８、付加情報付加部３９、電子透かし情報書換部（以下、ＷＭ書換部という。）４０、電子透かし情報デコード部（以下、ＷＭデコード部という。）４１、記録／消去制御部４２、読み出し部４３、消去音声情報の付加情報検出部４４、コントロール部５０、キー操作部５１、コピー履歴情報管理メモリ５２、機器ＩＤメモリ５３を備えている。また、ＭＤ２００は、前述もしたように、ミニディスクと呼ばれる小型の光磁気ディスクである。
【００７１】
そして、図３に示すように、この実施の形態のＭＤ装置は、アナログインターフェース３２と、デジタルインターフェース３７とを備え、アナログ音声信号またはデジタル音声信号の供給を受けて、これをＭＤ２００にコピーすることができるとともに、ＭＤ２００にコピーした音声信号を必要に応じて消去することができるものである。
【００７２】
［楽曲（音声信号）のＭＤ２００へのコピーについて］
アナログ入力端子３１を通じて入力された楽曲（アナログ音声信号）は、アナログインターフェース３２を通じて圧縮エンコード部３３に供給されて、所定のデータ圧縮処理が施された後、セレクタ３４に供給される。
【００７３】
また、デジタル音声信号の入力端子３５を通じて入力された楽曲（デジタル音声信号）は、デジタルインターフェース３７を通じてセレクタ３４に供給される。また、デジタル付加情報の入力端子３６を通じて入力された付加情報は、デジタルインターフェース３４を通じて、付加情報検出部３８に供給される。
【００７４】
付加情報検出部３８は、図３に示すように、コンテンツＩＤ検出部３８１、コピー世代管理情報検出部３８２、コピー回数管理情報検出部３８３を備え、デジタルインターフェース３７を通じて供給された情報から、目的とする付加情報を検出する。
【００７５】
すなわち、コンテンツＩＤ検出部３８１は、コンテンツＩＤを検出する。コピー世代管理情報検出部３８２は、コピー世代管理情報としてのＳＣＭＳ情報を検出する。また、コピー回数管理情報検出部３８３は、コピー回数管理情報としてのコピー許可回数を検出する。この付加情報検出部３８の各部において検出されるコンテンツＩＤ、ＳＣＭＳ情報、コピー許可回数は、コントロール部５０に供給される。
【００７６】
セレクタ３４は、キー操作部５１を通じて入力されるユーザからの選択入力に応じたセレクタ制御信号により、圧縮エンコード部３３からのデータと、デジタルインターフェース部３７からのデータとのいずれかを選択して出力する。このセレクタ３４の出力データは、付加情報付加部３９およびＷＭ書換部４０を介して記録／消去制御部４２に供給される。セレクタ３４の出力データは、また、ＷＭデコード部４１に供給される。
【００７７】
ＷＭデコード部４１は、セレクタ３４からの出力データ（音声信号）に電子透かし情報として重畳されているコンテンツＩＤ、ＳＣＭＳ情報、コピー許可回数の抽出、判別を行う。このＷＭデコード部４１においての判別出力が、コントロール部５０に供給される。
【００７８】
このように、ＷＭデコード部４１において、セレクタ３４からの出力データから電子透かし情報として重畳されているコンテンツＩＤ、ＳＣＭＳ情報、コピー許可回数を抽出、判別するようにしているのは、アナログ音声信号が供給された場合を考慮しているためである。
【００７９】
すなわち、ＣＤ１００Ｓには、デジタル音声信号とされた楽曲が記録されているとともに、このデジタル音声信号とされた楽曲とは別の領域にコンテンツＩＤ、ＳＣＭＳ情報、コピー許可回数が記録されている。このため、ＣＤ１００Ｓに記録されているデジタル音声信号および付加情報を読み出しても、デジタル音声信号をアナログ音声信号に変換し、アナログ音声信号として出力するようにした場合には、デジタル音声信号とは別の領域に付加されているコンテンツＩＤ、ＳＣＭＳ情報、コピー許可回数などは出力されない。
【００８０】
このため、デジタル音声信号に重畳され、このデジタル音声信号がアナログ音声信号に変換された場合にも消滅することなく、正確に検出することが可能な電子透かし情報とされたコンテンツＩＤ、ＳＣＭＳ情報、コピー許可回数を検出するようにしている。
【００８１】
これにより、この実施の形態のＭＤ装置は、アナログ音声信号、デジタル音声信号のいづれからでも、その音声信号に対応するコンテンツＩＤ、ＳＣＭＳ情報、コピー許可回数を取得することができるようにされている。
【００８２】
なお、ＷＭデコード部４１においては、ユーザによりセレクタ３４が圧縮エンコード部３３からの音声信号をＭＤ２００に記録するように切り換えた場合、すなわち、アナログインターフェースを通じて供給された音声信号を処理する場合にのみ、コントロール部５０の制御により、電子透かし情報とされた各付加情報を検出するようにしてもよい。
【００８３】
そして、この実施の形態のＭＤ装置は、供給された楽曲（音声信号）のコンテンツＩＤ、ＳＣＭＳ情報、コピー許可回数、および、自己のコピー履歴情報管理メモリ５２に記憶されているコピー履歴情報に基づいて、各機器毎であって、楽曲毎にコピー回数管理を行う。
【００８４】
この実施の形態のＭＤ装置において、ＭＤ２００にコピーしようとしている楽曲に付加されているＳＣＭＳ情報が、コピー禁止を示すものであるときには、コントロール部５０は、記録／消去制御部４２を制御して、その音声信号のＭＤ２００へのコピーを実行しないようにする。
【００８５】
また、ＭＤ２００にコピーしようとしている楽曲に付加されているＳＣＭＳ情報が、１世代コピー可能であることを示すものであるときには、コントロール部５０は、自己のコピー履歴情報管理メモリ５２を参照し、コピーしようとしている楽曲についてのコンテンツＩＤを有するコピー履歴情報が既に記憶されているか否かを確認する。
【００８６】
図４は、この実施の形態のコピー履歴情報管理メモリ５２に記憶されるコピー履歴情報を説明するための図である。図４に示すように、コピー履歴情報管理メモリ５２には、コンテンツＩＤとコピー許可回数とからなるコピー履歴情報が記憶される。
【００８７】
コピー履歴情報管理メモリ５２に、コピーしようとしている楽曲についてのコンテンツＩＤを有するコピー履歴情報が存在しない場合には、この実施の形態のＭＤ装置のコントロール部５０は、その楽曲に付加されているコンテンツＩＤと、コピー許可回数とからなるコピー履歴情報をコピー履歴情報管理メモリ５２に作成する。
【００８８】
これにより、コピーしようとしている楽曲に対応するコピー履歴情報が、コピー履歴情報管理メモリ５２に存在することになる。そして、コピー履歴情報管理メモリ５２に記憶されている、コピーしようとしている楽曲に対応するコピー履歴情報のコピー許可回数が０回であれば、コントロール部５０は、その楽曲については、許可された回数分のコピーが既に行われていると判断し、記録／消去制御部４２を制御して、その楽曲のコピーを実行しないようにする。
【００８９】
また、コピー履歴情報管理メモリ５２に記憶されている、コピーしようとしている楽曲に対応するコピー履歴情報のコピー許可回数が１回以上であれば、コントロール部５０は、当該コピー履歴情報のコピー許可回数を１回分減算して、コピー履歴情報管理メモリ５２に記憶されている該当するコピー履歴情報のコピー許可回数を更新するようにする。
【００９０】
そして、コントロール部５０は、コピーしようとしている楽曲のコンテンツＩＤ、複製禁止を示すＳＣＭＳ情報、コピー許可回数、機器ＩＤを付加情報付加部３９に供給する。
【００９１】
ここで、コンテンツＩＤ、コピー許可回数は、コピーしようとする楽曲が、デジタルインターフェース３７を通じて供給を受けたものである場合には、付加情報検出部３８のコンテンツＩＤ検出部３８１、コピー回数管理情報検出部３８３において検出された情報である。また、コピーしようとする楽曲が、アナログインターフェース３２を通じて供給を受けたものである場合には、ＷＭデコード部４１において抽出、判定されたコンテンツＩＤ、コピー許可回数である。
【００９２】
また、複製禁止を示すＳＣＭＳ情報は、例えば、コントロール部５０において形成するようにされた情報である。また、機器ＩＤは、コントロール部５０に接続された機器ＩＤメモリ５３に予め記憶されているものであり、各機器に固有の情報であり、各機器を識別することが可能な情報である。
【００９３】
すなわち、この実施の形態においては、機器ＩＤメモリ５３に、各機器に固有の機器ＩＤが、例えば製造時に予め記憶するようにされており、前述のように、楽曲のコピー時において、コントロール部５０に読み出され、他の付加情報とともに、付加情報付加部３９に供給される。
【００９４】
なお、機器ＩＤメモリを個別に設けるのではなく、例えば、コントロール部５０が備えるＲＯＭに機器ＩＤを記憶させておき、このＲＯＭに記憶された機器ＩＤを読み出して、付加情報付加部３９に供給するようにしてももちろんよい。
【００９５】
そして、付加情報付加部３９は、セレクタ３４からの音声信号に、コンテンツ情報、ＳＣＭＳ情報、コピー許可回数、機器ＩＤを付加するようにする。また、コントロール部５０は、複製禁止を示すＳＣＭＳ情報をＷＭ書換部４０に供給する。ＷＭ書換部４０は、コントロール部５０からの複製禁止を示すＳＣＭＳ情報スペクトラム拡散することにより電子透かし情報を形成し、これを付加情報付加部３９に供給する。
【００９６】
そして、この実施の形態においては、既に重畳されている電子透かし情報とされたＳＣＭＳ情報が除去された後に、電子透かし情報とされた複製禁止を示す新なＳＣＭＳ情報をＭＤ２００にコピーする楽曲に重畳する。
【００９７】
なお、上述のように既に重畳されている電子透かし情報情報を除去した後に、新たな電子透かし情報を重畳するようにするのではなく、例えば、新に電子透かし情報とされた複製禁止を示すＳＣＭＳ情報を、音声信号に既に重畳されている電子透かし情報とは異なる位置に重畳するなどしてもよい。つまり、電子透かし情報とされた複製禁止を示すＳＣＭＳ情報をも抽出、判定が可能なようにコピーする楽曲に重畳するようにすればよい。
【００９８】
このように、付加情報付加部３９、ＷＭ書換部４０を通じて、付加情報が付加されるとともに、電子透かし情報とされたＳＣＭＳ情報が書き換えられた楽曲が記録／消去制御部４２に供給される。
【００９９】
この場合、記録／消去制御部４２に供給された楽曲は、１世代のコピーが許可されたものであるので、記録／消去制御部４２は、コントロール部５０からの制御に応じて、目的とする楽曲のＭＤ２００へのコピーを実行する。これにより、図２に示したＣＤプレーヤから供給された楽曲（音声信号）を、図３に示したこの実施の形態のＭＤ装置により、コピー回数を管理しながら、第１世代の音声信号については、許可された回数分だけのコピーを行うことができるようにされる。
【０１００】
そして、前述もしたように、許可された回数分のコピーが行われた楽曲については、ＭＤ装置のコピー履歴情報管理メモリ５２に記憶されれているその楽曲のコンテンツＩＤを有するコピー履歴情報のコピー許可回数は、０回になるので、前述したように、それ以上のコピーはできないようにされる。
【０１０１】
図５は、この実施の形態の図２に示したＣＤプレーヤにより再生するようにされるＣＤ１００Ｓと、このＣＤプレーヤにより再生されて出力される音声信号の供給を受ける図３の示したＭＤ装置により、音声信号がコピーされるＭＤ２００とを説明するための図である。
【０１０２】
図５に示すように、この実施の形態において、図１に示したオーサリング装置により作成されたＣＤ１００から作成されるＣＤ１００Ｓには、楽曲が記録されるとともに、この楽曲には、コンテンツＩＤ、コピー世代管理情報としてのＳＣＭＳ情報およびコピー回数管理情報としてのコピー許可回数が付加されているとともに、電子透かし情報としても重畳するようにされている。
【０１０３】
このＣＤ１００Ｓに記録されている楽曲がＣＤプレーヤにより再生され、これがＭＤ装置に供給されてＭＤ２００にコピーされる場合には、ＭＤ２００にコピーされる楽曲には、コンテンツＩＤ、コピー世代管理情報として、複製禁止を示すＳＣＭＳ情報、コピー回数管理情報としてのコピー許可回数、さらに、ＭＤ装置の機器ＩＤが付加されるとともに、コンテンツＩＤ、複製禁止を示すＳＣＭＳ情報、コピー許可回数が電子透かし情報として重畳される。
【０１０４】
そして、ＭＤ２００に記録される楽曲に付加されるとともに、電子透かし情報として重畳されるＳＣＭＳ情報は、前述もしたように、複製禁止を示すＳＣＭＳ情報であるので、この複製禁止を示すＳＣＭＳ情報により、ＭＤ２００にコピーされた楽曲は、他の記録媒体にコピーすることができないようにされる。つまり、コピーされた楽曲のコピーはできないようにされる。
【０１０５】
［ＭＤ２００にコピーされた楽曲（音声信号）の消去について］
そして、この実施の形態のＭＤ装置は、前述もしたように、ＭＤ２００にコピーした楽曲を消去する機能をも備えたものである。この実施の形態のＭＤ装置によりＭＤ２００にコピーされた楽曲を消去する場合には、コピー履歴情報管理メモリ５２に記憶されている消去する楽曲のコピー履歴情報のコピー許可回数を１回増やすようにする。
【０１０６】
このようにすることによって、以前に１度コピーされた楽曲であっても、そのコピーされた楽曲が消去されされることにより消滅したときには、その楽曲がコピー許可回数分のコピーがされた後であっても、さらなるコピーが可能となるようにされる。
【０１０７】
この実施の形態のＭＤ装置は、キー操作部５１を通じて、ＭＤ２００にコピーされた楽曲のユーザからの消去の指示入力を受け付けることができるようにされている。この場合、ＭＤ２００に記録されているすべての楽曲を消去するようにすることもできるし、また、例えば、何曲目の楽曲を消去するなどのように、目的とする楽曲を消去するようにすることができるようにされている。
【０１０８】
そして、ユーザから消去指示が入力されると、コントロール部５０は、読み出し部４３を制御して、ＭＤ２００に記録されている楽曲のうち、消去が指示された楽曲に付加されている付加情報を読み出す。読み出された付加情報は、消去音声信号の付加情報検出部４４に供給される。この付加情報検出部４４は、図３に示すように、コンテンツＩＤ検出部４４１、機器ＩＤ検出部４４２を備えている。
【０１０９】
コンテンツＩＤ検出部４４１は、消去するように指示された楽曲のコンテンツＩＤを検出する。また、機器ＩＤ検出部４４２は、消去するように指示された楽曲をＭＤ２００にコピーした機器の機器ＩＤを検出する。検出されたコンテンツＩＤおよび機器ＩＤは、コントロール部５０に供給される。
【０１１０】
そして、コントロール部５０は、コンテンツＩＤ検出部４４１からのコンテンツＩＤに基づいて、コピー履歴情報管理メモリ５２のコピー履歴情報を検索する。同じコンテンツＩＤを有するコピー履歴情報が存在しない場合、および、同じコンテンツＩＤを有するコピー履歴情報が存在しても、機器ＩＤ検出部４４２により検出された機器ＩＤと、この実施の形態のＭＤ装置が有する機器ＩＤとが異なっている場合には、消去しようとしている楽曲は、このＭＤ装置においてコピーされたものではないので、コントロール部５０は、記録／消去制御部４２を制御して、ユーザにより消去するように指示された楽曲をＭＤ２００から消去する。
【０１１１】
しかし、コンテンツＩＤ検出部４４１により検出されたコンテンツＩＤと同じコンテンツＩＤを有するコピー履歴情報が存在し、かつ、機器ＩＤ検出部４４２により検出された機器ＩＤと、この実施の形態のＭＤ装置が有する機器ＩＤとが一致している場合には、消去しようとしている楽曲は、このＭＤ装置においてコピーされたものである。
【０１１２】
この場合には、コントロール部５０は、コピー履歴情報管理メモリ５２に記憶されている対応するコピー履歴情報のコピー許可回数を１回分増加させるとともに、この実施の形態においては、記録／消去制御部４２を制御して、ユーザにより消去するように指示された楽曲をＭＤ２００から消去する。
【０１１３】
これにより、このＭＤ装置によりＭＤ２００にコピーされた複製許可回数が制限された音声信号が、このＭＤ装置により消去するようにされた場合には、コピー履歴情報管理メモリ５２に記憶されたコピー履歴情報のコピー許可回数は、消去分が加算されるので、消去された楽曲の消去した分のコピーが複製可能となる。
【０１１４】
つまり、この場合のコピー許可回数は、コピーすることにより形成することができる当該楽曲の数に相当する。したがって、コピー許可回数が複数回あり、それぞれ異なる記録媒体にコピー許可回数分のコピーを実行した場合には、その楽曲がコピーされた記録媒体の数は、その音声信号のコピー許可回数（初期値）と同じになる。
【０１１５】
そして、ＣＤ１００Ｓに記録されている楽曲が、コピー許可回数分コピーされた後においては、その音声信号のそれ以降のコピーが不能になるのではない。すなわち、コピー許可回数（初期値）分のコピーされた楽曲が存在するうちは、その楽曲のコピーはできないようにされる。
【０１１６】
しかし、その楽曲が、コピーされたＭＤ装置を用いて消去された場合には、前述したように、そのＭＤ装置において管理しているコピー履歴情報のコピー許可回数が消去した分増えるので、そのＭＤ装置により、その楽曲をさらにコピーすることができるようにされる。
【０１１７】
これにより、例えば、ＣＤに記録されて提供される楽曲を、他の記録媒体に私的にコピーして楽しもうとする利用者の利便性を害することなく、楽曲のコピーを制限し、楽曲の著作権者の権利を適正に保護することができる。
【０１１８】
［楽曲のコピー時、楽曲の消去時の処理ついて］
次に、この実施の形態のＭＤ装置において行なわれる楽曲のコピー時の処理について、図６のフローチャートを参照しながら説明し、ＭＤに記録されている楽曲の消去時の処理について、図７のフローチャートを参照しながら説明する。
【０１１９】
図６は、この実施の形態のＭＤ装置において、楽曲のコピー時の処理を説明するためのフローチャートであり、供給された楽曲のコピーの開始指示が入力された場合に実行される処理である。
【０１２０】
キー操作部５１を通じて、ユーザによりコピーの開始が指示されると、コントロール部５０は、前述したように、コピー世代管理情報検出部３８２、あるいは、ＷＭデコード部４１により、例えばＣＤプレーヤなどの再生装置や情報信号の出力装置から供給される楽曲から検出されるコピー世代管理情報としてのＳＣＭＳ情報を確認する（ステップＳ１０１）。
【０１２１】
そして、ＳＣＭＳ情報は、コピー禁止であることを示すものか、１世代コピー可能であることを示すものか、コピーフリー（コピー自由）であることを示すものかを判断する（ステップＳ１０２）。ステップＳ１０２の判断処理において、確認したＳＣＭＳ情報が、コピー禁止を示すものであると判断したときには、コントロール部５０は、記録／消去制御部４２を制御して、コピーするように指示された音声信号のコピーを実行しないようにする（ステップＳ１０３）。
【０１２２】
また、ステップＳ１０２の判断処理において、確認したＳＣＭＳ情報がコピーフリーであることを示すものであるときには、コントロール部５０は、付加情報検出部３８において検出されたコンテンツＩＤ、コピー世代管理情報としてのＳＣＭＳ情報、コピー回数管理情報としてのコピー許可回数を付加情報付加部３９を供給し、これらの付加情報をコピーしようとしている楽曲に付加して、記録媒体、この実施の形態においては、ＭＤ２００にコピーする（ステップＳ１０４）。この場合、コピー許可回数は、その楽曲は、コピーフリーであり、コピーが自由に行えることを示す情報となるようにする。
【０１２３】
また、ステップＳ１０２の判断処理において、確認したＳＣＭＳ情報が、１世代コピー可能であることを示すものであるときには、コピーしようとしている楽曲に付加、あるいは、重畳されているコンテンツＩＤに基づいて、コピー履歴情報管理メモリ５２のコピー履歴情報を検索し（ステップＳ１０５）、同じコンテンツＩＤを有するコピー履歴情報があるか否かを確認する（ステップＳ１０６）。
【０１２４】
ステップＳ１０６の判断処理において、コピーしようとしている楽曲と同じコンテンツＩＤを有するコピー履歴情報がないと判断したときには、コピー履歴情報管理メモリ５２に、コピーしようとしている楽曲のコンテンツＩＤと、コピー許可回数とからなるコピー履歴情報をコピー履歴情報管理メモリ５２に作成する（ステップＳ１０７）。
【０１２５】
なお、この実施の形態においては、コピーしようとしている音声信号が、１世代コピー可能なものであるが、複製許可回数が付加されていないものである場合には、その楽曲のコピー許可回数は、１回であると判断し、コントロール部５０は、コピー許可回数を１回としてコピー履歴情報を作成する。
【０１２６】
ステップＳ１０６の判断処理において、コピーしようとしている楽曲と同じコンテンツＩＤを有するコピー履歴情報があると判断した場合、および、ステップＳ１０７の処理により、コピー履歴情報をコピー履歴情報管理メモリ５２に作成した後においては、コピー履歴情報管理メモリ５２の当該コピー履歴情報のコピー許可回数が、１回以上であるか否かを判断する（ステップＳ１０８）。
【０１２７】
ステップＳ１０８の判断処理において、コピー許可回数が、０回であると判断したときには、その楽曲について、許可された回数分のコピーが既に終了していると判断し、ステップＳ１０３の処理に進み、その楽曲のコピーを禁止するようにする。
【０１２８】
ステップＳ１０８の判断処理において、コピー許可回数が、１回以上であると判断したときには、コントロール部５０は、コピー履歴情報管理メモリ５２に記憶されている当該コピー履歴情報のコピー許可回数を１回分減算する（ステップＳ１０９）。
【０１２９】
そして、コントロール部５０は、付加情報検出部３８において検出されたコンテンツＩＤ、コントロール部５０において形成された複製禁止を示すＳＣＭＳ情報、および、コントロール部５０が備えるＲＯＭに記憶されているこの実施の形態のＭＤ装置の機器ＩＤを付加情報付加部３９を供給し、これらの付加情報をコピーしようとしている楽曲に付加して、これをＭＤ２００にコピーする（ステップＳ１１０）。
【０１３０】
このように、この実施の形態のＭＤ装置（記録装置）は、楽曲のコピーを行う記録装置、記録再生装置において、楽曲のコピー許可回数を管理し、許可された概数分のコピーが終了している楽曲については、その楽曲のコピーを禁止する。これにより、楽曲の利用者の利便性を害することなく、楽曲の著作権者の権利を適正に保護することができる。
【０１３１】
次に、この実施の形態のＭＤ装置において行なわれるＭＤに記録されている楽曲の消去時の処理について説明する。図７は、この実施の形態のＭＤ装置において、ＭＤに記録された楽曲の消去時の処理を説明するためのフローチャートである。
【０１３２】
この実施の形態のＭＤ装置は、前述もしたように、ユーザからの指示に応じて、このＭＤ装置に装填されたＭＤ２００に記録されている楽曲の全部、または、一部、例えば指定された楽曲を消去するなどのことができるようにされている。このような、ユーザからの消去指示が、キー操作部５１を通じて入力された場合に、コントロール部５０は、図７に示す処理を実行する。
【０１３３】
ＭＤ２００に記録されている楽曲の消去指示がユーザより入力されると、コントロール部５０は、指示された楽曲のコンテンツＩＤおよび機器ＩＤをＭＤ２００から読み出し、読み出したコンテンツＩＤに基づいて、コピー履歴情報管理メモリ５２のコピー履歴情報を検索する（ステップＳ２０１）。
【０１３４】
そして、コントロール部５０は、消去しようとしている楽曲のコピー履歴情報があるか否かを判断する（ステップＳ２０２）。この判断処理において、目的とする楽曲のコピー履歴情報があると判断したときには、コントロール部５０は、ＭＤ２００から読み出した機器ＩＤと、楽曲の消去を行うこのＭＤ装置の機器ＩＤとを比較し（ステップＳ２０３）、両者が一致したか否かを判断する（ステップＳ２０４）。
【０１３５】
ステップＳ２０４の判断処理において、ＭＤ２００から読み出した機器ＩＤと、このＭＤ装置が有する機器ＩＤとが一致したと判断したときには、消去するように指示された楽曲は、このＭＤ装置によりＭＤ２００にコピーされたものであるので、コピー履歴情報管理メモリ５２に記憶されている、消去するように指示された楽曲のコピー履歴情報のコピー許可回数を１回増やし（ステップＳ２０５）、消去するように指示された楽曲、すなわち、コンテンツ情報をＭＤ２００から消去する（ステップＳ２０６）。
【０１３６】
また、ステップＳ２０２の判断処理において、消去するように指示された楽曲に対応するコピー履歴情報が、コピー履歴情報管理メモリ５２に存在しないと判断した場合、および、ステップＳ２０４の判断処理において、消去するように指示された楽曲に付加されている機器ＩＤと、楽曲の消去を実行するこのＭＤ装置の機器ＩＤとが一致しないと判断した場合には、コピー履歴情報のコピー許可回数の更新は行わず、単に指示された楽曲をＭＤ２００から消去するようにする（ステップＳ２０６）。
【０１３７】
これにより、自機により記録媒体にコピーした楽曲の消去を行う場合には、コピー履歴情報管理メモリ５２に記憶されているコピー履歴情報のコピー許可回数が、１回分増加するようにされるので、例えば、その音声信号について、コピー許可回数分のコピーが既に行われていても、元のＣＤ１００Ｓに記録されている当該音声信号の消去した分のコピーがさらに可能になる。
【０１３８】
この場合には、前述もしたように、各音声信号についてのコピー許可回数は、コピーされてＭＤなどの記録媒体に存在するその音声信号の数に相当する。したがって、前述したように、コピーした楽曲を消去することにより、コピー履歴情報のコピー許可回数が増えた場合には、その増えた分のコピーができるようにされる。これにより、楽曲の利用者の利便性を害することなく、かつ、楽曲の著作権者の権利を適正に保護することができるようにされる。
【０１３９】
また、自機においてコピーしていない楽曲の消去が指示された場合には、例えば、ＭＤ装置が備えるＬＣＤ（液晶ディスプレイ）に警告メッセージを表示したり、あるいは、ＭＤ装置が備える警告用のＬＥＤ（発光ダイオード）を点灯、あるいは、点滅させるなどして、ユーザに自機でコピーしたものでない楽曲の消去が指示されたことを通知するとともに、確認入力を要求するようにする。このようにすることによって、消去が指示された音声信号をコピーした機器において、音声信号の消去を行うように、ユーザを促すことができる。
【０１４０】
なお、前述の実施の形態においては、コピーするコンテンツ情報が、楽曲などの音声信号の場合を例にしてして説明したが、コンテンツ情報は、音声信号に限るものではなく、映像信号や、コンピュータ間で送受するようにされる各種のコンピュータデータなどをコピーするようにする場合にも、この発明を適用することができる。
【０１４１】
例えば、コンテンツ情報が映像信号の場合には、前述もしたように、複製世代管理情報として、ＣＧＭＳ情報を付加することにより、映像信号の複製の世代制限を行うことができるようにされる。このＣＧＭＳ情報に加え、コンテンツＩＤと、コピー回数管理情報を付加するようにすれば、前述の楽曲をコピーするシステムの場合と同様に、コピー回数を管理し、コピー回数によって、コピーについての制御を行うようにすることができる。
【０１４２】
また、コンテンツ情報がどのような情報信号の場合にも、必ずコピー世代管理情報が必要になるものではない。つまり、コンテンツ情報を識別することが可能なコンテンツＩＤと、コピー回数管理情報とが、コンテンツ情報に対応付けられて付加されていれば、コンテンツＩＤと、コピー回数管理情報とに基づいて、記録装置や記録再生装置においてコピー回数を管理し、管理しているコピー回数に応じて、コンテンツ情報のコピー時の制御を適正に行うようにすることができる。
【０１４３】
また、前述の実施の形態においては、コンテンツ情報としての楽曲などの音声信号は、ＣＤに記録されて提供されるものとして説明したが、これに限るものではない。例えば、衛星放送や地上波の放送、あるいは、ケーブルを通じて放送番組を提供する各種の放送メディアを通じてコンテンツ情報を提供する場合や、インターネットなどのネットワークを通じて各種のコンテンツ情報を提供するようにする場合にこの発明を適用するようにすることができる。
【０１４４】
この場合には、コンテンツ情報を衛星放送や地上波放送あるいはケーブルやインターネットなどのネットワークを通じて提供するようにするコンテンツ情報の出力装置において、出力するコンテンツ情報にコンテンツＩＤ、コピー世代管理情報、コピー回数管理情報などを付加するようにすればよい。したがって、コンテンツ情報の出力装置は、図１に示したオーサリング装置の記録処理部９を、出力する信号を形成するようにする出力処理部に変更することにより構成することができる。
【０１４５】
この場合、コンテンツ情報の出力装置は、放送装置だけでなく、通信機能を備えたパーソナルコンピュータなどの情報機器など、コンテンツ情報を出力する各種の出力装置に提供することができる。
【０１４６】
また、コンテンツ情報を衛星放送や地上波放送あるいはケーブルなどを通じて提供するようにする場合、セットトップボックなど、目的とする放送信号を受信してこれを利用可能なようにして出力する受信機が、前述したＣＤプレーヤのような再生機に相当することになる。
【０１４７】
また、前述の実施の形態の形態においては、コンテンツ情報としての音声信号を記録する記録媒体は、ＭＤ（ミニディスク）として説明したが、これに限るものではない。例えば、コンテンツ情報がコピーされる記録媒体は、半導体による固体メモリであってもよいし、リムーバブルなメディアに限らず、機器に内蔵されたハードディスクであってもよい。
【０１４８】
また、ＤＶＤ（デジタルビデオディスク）やＣＤ−Ｒ（書き換え可能なＣＤ）などの光ディスクや、光磁気ディスク、あるいは、磁気ディスク、さらには、ビデオテープやカセットテープなどの磁気テープなどの各種の記録媒体を用いることができる。
【０１４９】
したがって、記録装置としては、ＭＤ装置に限るものではなく、ＤＶＤの規則装置や記録再生装置、各種の光ディスクの記録装置や記録再生装置、光磁気ディスクの記録装置や記録再生装置、各種の磁気ディスクの記録装置や記録再生装置、ビデオテープレコーダやデジタルビデオテープレコーダ、オーディオ用のテープレコーダやＤＡＴと呼ばれるデジタルオーディオテープレコーダ、さらには、コンテンツ情報の供給を受けて、これを各種の記録媒体に記録保持するようにするパーソナルコンピュータなどの、各種の記録装置、記録再生装置にこの発明による記録装置を適用することができる。
【０１５０】
なお、コンテンツ情報がコピーされる記録媒体が、ＣＤ−Ｒの場合には、機器ＩＤとしては、ＲＩＤ（Ｒｅｃｏｒｄｅｒ  ＩＤ）と呼ばれるＩＤを用いることができる。
【０１５１】
また、前述の実施の形態においては、スペクトラム拡散技術を用いて、コンテンツＩＤ、コピー世代管理情報、コピー回数管理情報の電子透かし情報を形成し、これをコンテンツ情報に重畳するようにした。しかし、電子透かし情報の形成は、スペクトラム拡散技術を用いたものに限るものではなく、各種の電子透かし技術を用いて形成した電子透かし情報をコンテンツ情報に重畳することができる。また、この場合には、電子透かし情報の形成に用いた電子透かし技術に応じたＷＭデコード部を用いることになる。
【０１５２】
また、前述の実施の形態においては、コンテンツ情報の複製時において、機器ＩＤを電子透かし情報として複製する情報信号に重畳するようにしてももちろんよい。この場合には、例えば、複製されたコンテンツ情報の消去時において、電子透かし情報とされた機器ＩＤを検出するようにすればよい。
【０１５３】
また、前述の実施の形態においては、オーサリング装置により作成されたＣＤから作成され、利用者に提供されるＣＤのコピー許可回数は書き換えないものとして説明した。しかし、複製が行なわれる毎に、これを書き換えるようにして、そのメディアに記録されているコンテンツ情報のコピー許可回数を管理するようにしてもよい。
【０１５４】
この場合には、記録媒体に記録されているコピー許可回数を参照することによって、例え、記録媒体に記録されている１世代コピー可能のコンテンツ情報であっても、許可された回数分のコピーが既にされていれば、コピー許可回数は、例えば０回にされるので、そのコンテンツ情報の複製を禁止し、著作権者の権利を適切に保護することができる。
【０１５５】
そして、前述したように、音声信号や映像信号、コンピュータデータなどの各種のコンテンツ情報にコピー回数管理情報としてのコピー許可回数を付加して提供し、そのコンテンツ情報のコピーを行う記録装置、あるいは、記録再生装置において、コピー許可回数を管理することによって、従来のＳＣＭＳ情報やＣＧＭＳ情報によるコピーの世代管理に加えて、コピー許可回数の管理を行うことができるようになるので、第１世代のコンテンツ情報であれば、何回でもコピーができてしまうという、従来のコピーの世代管理の問題点を解消することができる。
【０１５６】
また、ＳＣＭＳやＣＧＭＳなどの従来のコピーの世代管理システムと、コピー回数の管理とを共用することができるので、より細かなコピー制御を行うことができる。
【０１５７】
また、コピー回数管理情報を持たないコンテンツ情報については、前述もしたように、コピー禁止、あるいは、コピーフリーのコンテンツ情報でない限り、１回コピー可能なコンテンツ情報として扱うようにすることで、従来からあるメディアについても、コピー許可回数を管理するようにし、利用者オ利便性を害することなく、コンテンツ情報の著作権者の権利を適正に保護することができる。
【０１５８】
また、コンテンツＩＤやコピー許可回数が、記録装置や記録装置のコピー履歴情報管理メモリに残るので、例えば、その装置においてコピーしたコンテンツ情報の検索などに用いることができる。
【０１５９】
また、記録媒体にコピーしたコンテンツ情報を消去した場合には、コピー許可回数が消去した分増やされる。これにより、コンテンツ情報を記録媒体に一時的にコピーして、カーステレオや携帯用の再生機などを用いて利用するようにする個人的なコンテンツ情報の利用は従来と同様に可能であるが、コンテンツ情報を大量にコピーし、これを販売するなどの違法なコピーは、できないようにすることができる。
【０１６０】
また、記録媒体にコピーを行った機器を特定することが可能な機器ＩＤが記録されるので、コピーを行った機器を特定することができる。
【０１６１】
また、記録装置において、コピー履歴情報を管理するので、従来からある再生機などは、そのまま用いることができる。例えば、ＣＤ（コンパクトディスク）には、既にＩＳＲＣコードが付加されており、これがコンテンツＩＤとしてデジタルインターフェース（ＩＥＣ９５８）を通じて出力するようにされているので、このＩＳＲＣを用いることによって、各コンテンツ情報を識別し、コンテンツ情報毎にコピー許可回数をコピーを実行する装置側で管理することができる。
【０１６２】
また、前述もしたように、コンテンツＩＤ、コピー世代管理情報、コピー回数管理情報を電子透かし情報としてコンテンツ情報に付加しておくことで、従来の再生装置などをいわゆるアナログ接続で用いても、コンテンツ情報のコピー許可回数を管理することができる。
【０１６３】
また、コピー許可回数を管理する必要があるのは、１世代コピー可能なコンテンツ情報に限られるので、コピー禁止やコピーフリーのコンテンツ情報については、コピー履歴情報をコピー履歴情報管理メモリに残さないようにすれば、コンテンツ情報のコピーを実行する記録装置、記録再生装置のコピー履歴情報管理メモリを有効に活用することができる。
【０１６４】
なお、コピー履歴情報管理メモリは、例えば、記録装置や記録再生装置に対して、着脱可能なメモリを用いるようにしてもよい。このようにすることによって、ユーザが、複数の記録装置や記録再生装置を併用していても、コピー履歴情報を一元管理することできるなどのメリットがある。
【０１６５】
【発明の効果】
以上説明したように、請求項３に記載の発明によれば、自機により記録媒体に記録した情報信号が消去された場合には、消去された情報信号の複製は行われなかったものとして、複製許可回数が、復帰するようにされるので、複製された情報信号が、当初の複製許可回数分存在するようになるまでは、その情報信号の複製ができるようにされる。これにより、情報信号の利用者の利便性が害されることなく、また、情報信号の複製回数が制限されるので、著作権者の権利を適切に保護することができる。
【０１６９】
また、請求項４に記載の発明によれば、記録媒体にコピーされた情報信号が、さらにコピーされることはないので、著作権者の権利を不当に害することなく、適切に保護することができる。
【０１７０】
また、請求項５に記載の発明によれば、従来からの情報信号についても、著作権者の著作権を不当に害することなく、適切に保護することができる。
【０１７１】
また、請求項６に記載の発明によれば、デジタル情報信号が、アナログ情報信号にＤ／Ａ変換されたり、フィルタリング処理やデータ圧縮処理により、情報信号に電子透かし情報として重畳された識別情報や複製許可回数が消滅するなどのことがないので、識別情報や複製許可回数を確実に情報信号とともに記録装置に提供し、複製許可回数を用いた複製管理を確実に行うことができる。
【０１７２】
また、請求項７に記載の発明によれば、次世代の複製を禁止するための情報を確実に情報信号とともに伝送することができるようにされるので、１度複製された情報信号がさらに他の記録媒体に複製されることが防止され、著作権者の権利を適切に保護することができる。
【図面の簡単な説明】
【図１】この発明による情報信号の出力装置の一実施の形態が適用されたＣＤ（コンパクトディスク）のオーサリング装置を説明するためのブロック図である。
【図２】図１に示したオーサリング装置により作成されたマスターＣＤから作成されたＣＤから音声信号を再生するＣＤプレーヤを説明するためのブロック図である。
【図３】図２に示したＣＤプレーヤにより再生されて出力された音声信号を記録媒体に記録するこの発明による記録装置の一実施の形態が適用されたＭＤ装置を説明するためのブロック図である。
【図４】図３に示したＭＤ装置のコピー履歴情報管理メモリを説明するための図である。
【図５】ＣＤ（コンパクトディスク）に記録されているコンテンツ情報に付加されている付加情報と、ＣＤから再生されてＭＤ（ミニディスク）にコピーされるコンテンツ情報に付加される付加情報について説明するための図である。
【図６】図３に示したＭＤ装置においてのコンテンツ情報のコピー時の処理を説明するためのフローチャートである。
【図７】図３に示したＭＤ装置においてのコンテンツ情報の消去時の処理を説明するためのフローチャートである。
【符号の説明】
１…入力端子、２…電子透かし情報重畳部（ＷＭ重畳部）、３…電子透かし情報形成部（ＷＭ形成部）、４…コンテンツＩＤ発生部、５…コピー世代管理情報発生部、６…コピー回数管理情報発生部、７…データ圧縮処理部、８…付加情報付加部、９…記録処理部、１０…コントロール部、１１…キー操作部、２１…読み出し部、２２…データデコード部、２３…Ｄ／Ａコンバータ、２３ａ…アナログ音声信号の出力端子、２４…デジタルインターフェース、２４１ｄ…デジタル音声信号の出力端子、２４２ｄ…デジタル付加情報の出力端子、３１…アナログ音声信号の入力端子、３２…アナログインターフェース、３３…圧縮エンコード部、３４…セレクタ、３５…デジタル音声信号の入力端子、３６…デジタル付加情報の入力端子、３７…デジタルインターフェース、３８…付加情報検出部、３８１…コンテンツＩＤ検出部、３８２…コピー世代管理情報検出部、３８３…コピー回数管理情報検出部、３９…付加情報付加部、４０…電子透かし情報書換部（ＷＭ書換部）、４１…電子透かし情報デコード部（ＷＭデコード部）、４２…記録制御部、４３…読み出し部、４４…消去音声情報の付加情報検出部、４４１…コンテンツＩＤ検出部、４４２…機器ＩＤ検出部、５０…コントロール部、５１…キー操作部、５２…コピー履歴情報管理メモリ、５３…機器ＩＤメモリ、１００、１００Ｓ…ＣＤ（コンパクトディスク）、２００…ＭＤ（ミニディスク）
【図１】
0004045387.tif 000002
【図２】
0004045387.tif 000003
【図３】
0004045387.tif 000004
【図４】
0004045387.tif 000005
【図５】
0004045387.tif 000006
【図６】
0004045387.tif 000007
【図７】
0004045387.tif 000008